(57)【要約】  【課題】  水中で点灯させることが可能な観賞用ライトを提供すること。  【解決手段】  少なくとも上部若しくは上半部に透明若しくは光透過性を有する外殻体を設けた気密性を有する中空状の筐体と、筐体内に収容される発光装置と、筐体の内部若しくは外部の底部に設けられた錘部材とを有し、前記発光装置は、略球状に形成されたレンズ体と、当該レンズ体の近傍において発光する発光手段と、筐体の傾き若しくは倒立を検知するスイッチと、当該スイッチによる筐体の傾き若しくは倒立の検知によって前記発光体の発光制御を行う制御回路とを有し、前記錘部材は、前記発光装置を収容した筐体を水没させることができる重量以上の重量を有し、前記筐体の傾け動作若しくは倒立動作によって発光手段の発光および消灯の切り換えを行い、発光手段の発光によって前記レンズ体および外殻体を介して発光体の光を周囲に放射するように構成する。【選択図】図１
2005071766.tif 000002
【特許請求の範囲】
【請求項１】
少なくとも上部若しくは上半部に透明若しくは光透過性を有する外殻体を設けた気密性を有する中空状の筐体と、
筐体内に収容される発光装置と、
筐体の内部若しくは外部の底部に設けられた錘部材とを有し、
前記発光装置は、発光手段と、筐体の傾き若しくは倒立を検知するスイッチと、当該スイッチによる筐体の傾き若しくは倒立の検知によって前記発光体の発光制御を行う制御回路とを有し、
前記錘部材は、前記発光装置を収容した筐体を水没させることができる重量以上の重量を有し、
前記筐体の傾け動作若しくは倒立動作によって発光手段の発光および消灯の切り換えを行い、発光手段の発光によって外殻体を介して発光体の光を周囲に放射するように構成したことを特徴とする観賞用ライト。
【請求項２】
少なくとも上部若しくは上半部に透明若しくは光透過性を有する外殻体を設けた気密性を有する中空状の筐体と、
筐体内に収容される発光装置と、
筐体の内部若しくは外部の底部に設けられた錘部材とを有し、
前記発光装置は、レンズ体と、当該レンズ体の近傍において発光する発光手段と、筐体の傾き若しくは倒立を検知するスイッチと、当該スイッチによる筐体の傾き若しくは倒立の検知によって前記発光体の発光制御を行う制御回路とを有し、
前記錘部材は、前記発光装置を収容した筐体を水没させることができる重量以上の重量を有し、
前記筐体の傾け動作若しくは倒立動作によって発光手段の発光および消灯の切り換えを行い、発光手段の発光によって前記レンズ体および外殻体を介して発光体の光を周囲に放射するように構成したことを特徴とする観賞用ライト。
【請求項３】
前記筐体は略球形若しくは卵形の外形を有し、当該筐体が水没した場合に前記筐体の上部に設けられた外殻体の内部空間による浮力および前記筐体底部に設けた錘部材による作用によって、前記外殻体を上方にした姿勢で略起立するようになっていることを特徴とする請求項１又は２記載の観賞用ライト。
【請求項４】
前記筐体には、前記外殻体を覆う半透明のカバー体体が着脱自在に装着されるようになっていることを特徴とする請求項１乃至３の何れか一項記載の観賞用ライト。
【請求項５】
前記発光手段は、色の異なる複数の発光体によって構成されていることを特徴とする請求項１乃至４の何れか一項記載の観賞用ライト。
【請求項６】
前記発光手段は、複数色を発光する発光体によって構成されていることを特徴とする請求項１乃至４の何れか一項記載の観賞用ライト。
【請求項７】
前記制御回路には、前記スイッチの接点部で発生するチャタリングによる誤入力を排除する誤入力防止手段が設けられていることを特徴とする請求項１乃至６の何れか一項記載の観賞用ライト。
【請求項８】
前記レンズ体が球状に形成されていることを特徴とする請求項２乃至７の何れか一項記載の観賞用ライト。
【発明の詳細な説明】
【技術分野】
【０００１】
本願発明は、観賞用のライトに関する。特に、水中に埋没させた状態で発光させ、当該水中で発光した光を鑑賞させるライトに適した観賞用ライトに関するものである。
【背景技術】
【０００２】
従来、水中において使用する照明装置として特許文献１、特許文献２に開示された水中用照明装置が知られている。
特許文献１記載の水中照明装置は、蓋板の上面に発光ダイオードランプを設け、当該発光ダイオードランプのリードを気密性を保たせた状態で蓋板を貫通させて下面に突出させてリードを容器内の電源に接続し、容器に対して蓋体を気密的に取り付けることで水中用の照明装置を構成するというものである。当該照明装置は、防水性を高めるために外部から操作するような照明のＯＮ／ＯＦＦを行う電源スイッチ等はなく、任意に照明を付けたり消したりすることができないものであった。
また、特許文献２には、防水処理を施した照明手段に対してリード線によって電力を供給し、水槽内を照明するものである。当該照明手段にも照明のＯＮ／ＯＦＦを行う電源スイッチ等はなく、リード線を介して電力を供給するか否かによって照明を付けたり消したりするものであった。
【特許文献１】特開２００２−１００２０３号公報
【特許文献２】特開２００２−２５１９０１号公報
【発明の開示】
【発明が解決しようとする課題】
【０００３】
上記特許文献１記載の水中照明装置は、防水性を保つ必要性から外部から操作可能なスイッチを有しておらず、任意に照明のＯＮ／ＯＦＦを行うことができないものである。また、特許文献２記載の水中照明装置は、リード線が接続され当該リード線を介して電力を供給するものであるから装置として大がかりなものとなり、リラックスしたいときに手軽に使用できるライトに適した構造ではなかった。
本願発明に係る観賞用ライトは上記の点に鑑み発明されたものであって、水中に埋没させた状態で発光させることができるリラクゼーション、癒し等を目的とした照明装置であって、任意に照明のＯＮ／ＯＦＦができ、しかもリード線等を必要としない照明装置を提供することを課題とするものである。
【課題を解決するための手段】
【０００４】
上記課題を解決するために本願請求項１記載の発明は下記の構成を有する。すなわち、
少なくとも上部若しくは上半部に透明若しくは光透過性を有する外殻体を設けた気密性を有する中空状の筐体と、
筐体内に収容される発光装置と、
筐体の内部若しくは外部の底部に設けられた錘部材とを有し、
前記発光装置は、発光手段と、筐体の傾き若しくは倒立を検知するスイッチと、当該スイッチによる筐体の傾き若しくは倒立の検知によって前記発光体の発光制御を行う制御回路とを有し、
前記錘部材は、前記発光装置を収容した筐体を水没させることができる重量以上の重量を有し、
前記筐体の傾け動作若しくは倒立動作によって発光手段の発光および消灯の切り換えを行い、発光手段の発光によって外殻体を介して発光体の光を周囲に放射するように構成したことを特徴とする観賞用ライト。
【０００５】
また、請求項２記載の発明は以下の構成を有する。すなわち、
少なくとも上部若しくは上半部に透明若しくは光透過性を有する外殻体を設けた気密性を有する中空状の筐体と、
筐体内に収容される発光装置と、
筐体の内部若しくは外部の底部に設けられた錘部材とを有し、
前記発光装置は、レンズ体と、当該レンズ体の近傍において発光する発光手段と、筐体の傾き若しくは倒立を検知するスイッチと、当該スイッチによる筐体の傾き若しくは倒立の検知によって前記発光体の発光制御を行う制御回路とを有し、
前記錘部材は、前記発光装置を収容した筐体を水没させることができる重量以上の重量を有し、
前記筐体の傾け動作若しくは倒立動作によって発光手段の発光および消灯の切り換えを行い、発光手段の発光によって前記レンズ体および外殻体を介して発光体の光を周囲に放射するように構成したことを特徴とする観賞用ライト。
【０００６】
また、請求項３記載の発明は以下の構成を有する。すなわち、
前記筐体は略球形若しくは卵形の外形を有し、当該筐体が水没した場合に前記筐体の上部に設けられた外殻体の内部空間による浮力および前記筐体底部に設けた錘部材による作用によって、前記外殻体を上方にした姿勢で略起立するようになっていることを特徴とする請求項１又は２記載の観賞用ライト。
【０００７】
また、請求項４記載の発明は以下の構成を有する。すなわち、
前記筐体には、前記外殻体を覆う半透明のカバー体体が着脱自在に装着されるようになっていることを特徴とする請求項１乃至３の何れか一項記載の観賞用ライト。
【０００８】
また、請求項５記載の発明は以下の構成を有する。すなわち、
前記発光手段は、色の異なる複数の発光体によって構成されていることを特徴とする請求項１乃至４の何れか一項記載の観賞用ライト。
【０００９】
また、請求項６記載の発明は以下の構成を有する。すなわち、
前記発光手段は、複数色を発光する発光体によって構成されていることを特徴とする請求項１乃至４の何れか一項記載の観賞用ライト。
【００１０】
また、請求項７記載の発明は以下の構成を有する。すなわち、
前記制御回路には、前記スイッチの接点部で発生するチャタリングによる誤入力を排除する誤入力防止手段が設けられていることを特徴とする請求項１乃至６の何れか一項記載の観賞用ライト。
【００１１】
また、請求項８記載の発明は以下の構成を有する。すなわち、
前記レンズ体が球状に形成されていることを特徴とする請求項２乃至７の何れか一項記載の観賞用ライト。
【発明の効果】
【００１２】
本願発明に係る観賞用ライトは以下に述べる効果を有している。
すなわち、自重によって浴槽などの水中に沈み、当該沈んだ状態で周囲に向かって光を放射する観賞用の照明装置を提供することができる。
また、観賞用ライトを構成する筐体を傾けるか若しくは一旦倒立させてから元の姿勢に戻すことによって電源のＯＦＦからＯＮ又はＯＮからＯＦＦへの切り換えができるようになっており、防水性を阻害するようなスイッチを外部に設けることなく点灯／消灯の操作を行うことができるようになっている。
【００１３】
また、本願発明に係る観賞用ライトは、外形を略卵形若しくは球形とし、さらに筐体内の空間および錘部材の作用によって発光体の光を透過させる外殻体が常に上方に位置するようになっているので、水中に沈んだ観賞用ライト光が常に上方に向かって放射されるようになっている。したがって、浴槽等で当該観賞用ライトを使用した場合には、浴槽の底部において発光する光が水による屈折、揺らぎ等を伴って上方に放射され、変化に富んだ光を入浴しながら鑑賞することができるという効果を有する。
【００１４】
また、前記観賞用ライトの光を放射する外殻体に半透明のカバー体を装着することにより当該カバー体によって光を拡散させることができ、カバー体装着の有無によって光の見え方に変化を与えることができるようになっている。
【００１５】
また、発光体に複数色の光源を使用することにより、前述した効果に加えてさらに変化に富んだ光を鑑賞させることができるようになっている。特に、色の三原色若しくは光の三原色といわれる赤・青・緑若しくは赤・青・黄色等の三色の光源を使用すると、各光源の発光割合によって、当該三色以上の光を発光させることができる。
特に、本願発明においては、球体のレンズ、当該レンズ体を覆う透明状の外殻体、当該外殻体を覆うカバー体若しくは水の層という種々の媒体を介して光りを放射させるようになっているので各発光色の見え方が一様ではなく、見る角度を変えることによって単色に見えたり、混合された原色以外の色を使用者に見せることができるという効果を有している。
【００１６】
また、発光の開始・停止の操作を、外部に設けたスイッチではなく、防水された内部空間に設けた振動センサや傾斜センサ等を使用するようになっているので、特にスイッチを設けることに伴う防水処理等を施す必要がなく外観を損なわないようになっている。また、振動センサや傾斜センサを用いる場合には、スイッチ操作ではない不要な振動によって誤動作を伴う場合があるが、当該誤動作と思われる入力を排除するための誤入力防止手段を設けることで、誤って点灯したり消灯したりということが起きないようになっている。
特に本願発明に係る観賞用ライトは、入浴しながら浴槽の中に沈めて使用することができるものであるので、浴槽内で生じる水の流れによって傾いたり倒れたりするが、このような場合でも前述した形状・構造によって起き上がり小坊師のように姿勢が元に戻るようになっている。このように倒れた観賞用ライトが倒れてもとの姿勢に戻るような場合であってもスイッチ操作とはみなさず、発光を続けたり不用意に発光することによりリラックスしたいときに使用者に不快感を与えることがないという効果を有している。
【００１７】
また、レンズ体を球形状に形成することにより、光源によって発光した光を広範囲に拡散させることができるという効果を有している。
【発明を実施するための最良の形態】
【００１８】
以下、本願発明に係る観賞用ライトの一実施の形態について説明する。
図１は、本願発明に係る観賞用ライトの外観斜視図を表しており、１は観賞用ライト本体（以下単に「本体」という。）を示している。
本体１は、外観形状を形成する筐体３と当該筐体３内に収容される発光装置５等によって構成されている。筐体３は、略卵形に形成されており、略中間部分より上の細身側を上半部７、下の太身側を下半部９として、後に述べる錘部材等の作用によって起立するように構成されている。
筐体３の上半部７には、透明な合成樹脂により成形された上部外郭体１１が設けられている。上部外郭体１１は、頭頂部の外側面を略球面とし、端部を円形の開口端とした厚さ数ｍｍの外側壁を有する碗状の部材である。また、開口端の内周には螺旋状の凸条１３が形成されており、後述する基台１５に対して気密性を保持した状態で着脱自在に螺合するように形成されている。
【００１９】
また、開口端近傍の外周には、当該開口端の外周縁と略平行に複数の凸条１７が設けられている。当該凸条１７は、上部外郭体１１をさらに覆うカバー体１９を着脱自在に装着する際の係止手段として用いるものである。図２は、筐体３に対してカバー体１９を装着した状態を表している。カバー体１９は、合成樹脂によって一体的に形成された碗状の部材であり、一例として不透明な乳白色に形成されている。これにより、発光装置５によって発光した光を拡散させるようにして透過させる作用を有し、複数色の光源から発せられる光を混合して光源色と異なる色の光をぼんやりと見せることができる作用を有している。カバー体１９の開口端近傍の内周には、前記凸条１７と係合する係合手段（図示省略）が設けられている。
【００２０】
筐体３の下半部９には、合成樹脂により成形された下部外郭体２１が設けられている。下部外郭体２１は、前記上部外郭体１１と同様に碗状を成した部材であり、頭頂部を下方に向けて円形の開口端を上方に向け、後述する基台１５に対して取り付けられている部材である。また、当該下部外郭体２１の開口端の内周にも螺旋状の凸条２３が形成されており、基台１５に対して気密性を保持した状態で着脱自在に螺合するように形成されている。
【００２１】
図３は本体１の断面図、図４は本体１の分解斜視図を表している。当該図３、図４を用いてさらに本体１の構造について説明する。
筐体３は、主要な構成部材として前述した、上部外郭体１１、基台１５、下部外郭体２１を有している。
基台１５は、上端に円形の開口を有し、下端に電池を収容部する空間２５を一体的に形成した底壁部を有した短い円筒状の部材である。基台１５の外側の周側壁には、上部外郭体１１の凸条１３と下部外郭体２１の凸条２３と螺合する雄ねじ２７、２９がそれぞれ設けられている。また、周側壁の略中央部には、周側壁全周に亘るフランジ状の凸縁３１が設けられている。また、当該凸縁３１の上下両側には、それぞれ周側壁全周を囲むＯリング３３、３５が装着されており、当該Ｏリング３３、３５の作用によって基台１５と上部外郭体１１および下部外郭体２１の接合部における気密性を保つようになっている。
【００２２】
基台１５の底壁には、底面側に開口を有した空間２５が形成されている。当該空間２５は、前述したように電池３７を収容するための空間であって、基台１５の底壁を内側に膨出させるようにして形成したものであり、底面側から装着される電池蓋３９によって塞がれるようになっている。電池蓋３９は、ネジによって基台１５の底壁に固定されるようになっている。
前記空間２５を形成するために膨出させた基台１５の底壁には、６本のポスト４１が立設されており、当該ポスト４１の上端面に円形のプリント配線基盤４３が載置され、後述する円形板４７とともにポスト４１の端面に設けたネジ孔を利用してネジにより固定されるようになっている。
【００２３】
プリント配線基盤４３には、発光手段として赤色ＬＥＤ４５ｒ、青色ＬＥＤ４５ｇ、緑色ＬＥＤ４５ｇが基板の中央部分を中心として等間隔に取り付けられている。また、各ＬＥＤの発光部分は、プリント配線基盤４３の上方にプリント配線基盤４３と平行に配置した円形板４７に設けた３個の小孔４９より突出するようになっている。
プリント配線基盤４３には、前記ＬＥＤ４５ｒ、４５ｇ、４５ｂを発光制御する図５に示す制御回路５１が形成されている。制御回路５１は、ＣＰＵに相当する制御機能を有するとともにＬＥＤ４５ｒ、４５ｇ、４５ｂに対する駆動信号を出力する制御ＩＣ５３を有している。また、制御回路５１には、移動する球体を有し当該球体の移動によって通電するスイッチ５５と、当該スイッチ５５において発生するチャタリングによる通電等を排除するための誤入力防止手段としての誤入力防止回路５７と、当該制御回路５１に対する電
池３７との開閉切り換えを行う手動式のメインスイッチ５９等も設けられている。
【００２４】
制御ＩＣ５３は、誤入力防止回路５７を介したスイッチ５５の入力を受けると、各ＬＥＤ４５ｒ、４５ｇ、４５ｂの発光制御を行うようになっている。当該発光制御の一例では、スイッチ５５の入力があると最初にＬＥＤ４５ｒを略２分間発光させ、次にＬＥＤ４５ｒの発光量を序々に少なくするのに合わせてＬＥＤ４５ｇを発光量を序々に多くし、ＬＥＤ４５ｒを消灯させてＬＥＤ４５ｇを点灯させるという発光制御が行われる。また同様に一定時間ＬＥＤ４５ｇを点灯させると、次いでＬＥＤ４５ｇの発光量を序々に少なくするのに合わせてＬＥＤ４５ｂを発光量を序々に多くし、ＬＥＤ４５ｇを消灯させてＬＥＤ４５ｂを点灯させるという制御が行われる。以下、同様のサイクルを繰り返すような発光制御が行われる。
また、赤・青・緑の各色を混合させると、混合の割合に応じて当該原色以外の種々色を発光させることができる。したがって、各ＬＥＤ４５ｒ、４５ｇ、４５ｂの発光量を調節しながら同時点灯させることにより、種々の色の光を使用者に見せることができるようになっている。また、種々の色への連続的な変化を見せることができる。
なお、本実施の形態では、発光色の異なる３つのＬＥＤを使用したが、３色の光源を持った一つのＬＥＤを用いてもよい。
【００２５】
次に、誤入力防止回路５７について説明する。誤入力防止回路５７は、スイッチ５５が予め設定された時間閉じた場合に制御ＩＣ５３に対して信号を出力するように構成されたものである。スイッチ５５は、後述するように、転動する球体によって接点を閉じるように構成されたものである。したがって、瞬間的な転倒や振動などによって、瞬間的に接点を閉じた場合であってもＩＣ５３に対して信号が出力されないようになっている。
本実施の形態に係る観賞用ライトでは、発光のＯＮ／ＯＦＦを筐体３自体を起立した状態から約１秒間倒立させた後再び元の姿勢に戻した場合に、制御ＩＣ５３によってスイッチの操作として認識されるようになっている。詳細な処理内容については、図６を用いて後述する。
【００２６】
スイッチ５５は、本実施の形態においては、最適な例として円筒体の中で球体を転動させ、当該球体が円筒体の中で転動した場合に接点を閉じるように構成したものが用いられている。なおスイッチ５５には、当該構成のスイッチのほか、傾斜センサその他のセンサ類を用いてもよい。また、当該スイッチ５５は筐体３の外部に操作部などを有していないため防水性を阻害されることがないようになっている。
また、メインスイッチ５９はスライド式の操作スイッチであるが、当該スイッチは基台１５に取り付けられており、基台１５から下部外殻体２１を取り外すことによって操作可能となっている。当該メインスイッチ５９が閉じている場合に、前記スイッチ５５による通電を操作入力として受け付けるようになっている。
【００２７】
プリント配線基盤４３の上方には前述したように円形板４７が配置されている。当該円形板４７の中央には球状体６１が取り付けられている。球状体６１は、透明なガラス若しくは透明な樹脂により形成されたレンズ体として機能する部材である。球状体６１の底部には固定用の凸部が一体的に設けられており、円形板４７の中央に立設された円筒ポストに差し込まれることにより、円形板４７に球状体６１が固定されるようになっている。
前述したように、各ＬＥＤ４５ｒ、４５ｇ、４５ｂは円形板４７に設けた３個の小孔４９より突出するようになっている。これら各ＬＥＤは、球状体６１の直下であって、球状体６１の直径よりも小さい直径の円内に配置されている。これは、ＬＥＤの発光光をレンズ体としての球状体６１を通過させて、上方を中心として周囲に拡散放射させるためでてある。また、色の異なる各ＬＥＤを近距離に配置することにより、各色を混合することによる中間色を生成しやすいという効果がある。各発光色は波長によって屈折率が異なるので、各ＬＥＤ同士の距離が遠いと各色の光が混合されず独立した光として放射される度合
いが高くなるので、上記のように各色のＬＥＤは球状体６１の直下近傍に配置されている。
【００２８】
なお、本実施の形態に係る観賞用ライトでは、球状体６１の周囲に透明な上部外殻体１１が設けられ、さらにそれを覆う半透明のカバー体１９が装着されるようになっている。当該カバー体１９は乳白色等の半透明に形成されているので、カバー体１９において光がさらに周囲に拡散されるような作用を有し、各色が混ざり合って中間色を表現しやすいという効果を有している。
また、レンズの形状については球形の他に種々の形状を採用してもよく、光を拡散させる効果、各発光色を混合させるような効果の高い形状を備えているものが好ましい。円錐形状、多数の面を形成した多面体形状等であってもよい。
【００２９】
筐体３内の下半部には、錘体６３が装着されている。下部外郭体２１内部の底には、上端面にネジ孔を設けた４本のポスト６５が一体的に立設されており、当該ポストと干渉しないような形状に形成された錘体６３を装着し、ポスト６５に対して押さえ板６７をネジによって取り付け錘体６３を固定している。
当該錘体６３は、本体１を水に入れた際に本体１が水中に沈む重さ以上の重量を有している。当該錘６３によって本体１が水中に沈み、当該錘体６３が外郭体２１に装着されることによって重心位置が下がり、水中であるか否かを問わず本体１は上部外郭体１１を上にして起立するようになっている。
さらに上部外郭体１１内部に形成された空間によって上部外郭体１１側に浮力が多く発生するので、前記錘体６３による重心位置の作用との相乗効果により、水中では倒れにくくなっている。すなわち、浴槽内では、人間の動きによって水流が発生するが当該水流が生じても本体１が転倒しにくくなっている。
【００３０】
図６は誤入力防止回路５７において行われるチャタリング防止処理等を説明するためのフローチャートである。スイッチ５５の接点はが閉じると、接点の閉じている時間が判定される。当該判定において接点が閉じている時間が３４０ミリ秒以上である場合には、微細な振動によるチャタリングではないものとして判定され（ステップＳ１）、次に接点の閉じている時間がさらに判定され（ステップＳ２）、さらに１秒以内に接点が開いた場合ＬＥＤを発光させるようになっている。
当該ステップＳ１、ステップＳ２に係る処理は、起立している筐体３を一度倒立させ１秒以内に元の状態に戻した場合、当該操作を発光体の点灯のための入力として受け付けるものである。ステップＳ１に係る処理はスイッチ５５に対する入力がいわゆるチャタリングや転倒等ではなく筐体３を倒立させたか否かを判定するものであり、ステップＳ２に係る処理は再び元の姿勢に戻したか否かを判定するものである。
また、ＬＥＤが点灯している状態から、スイッチ５５の接点が１００ミリ秒以上閉じると、ＬＥＤを消灯させるための入力であるとみなしＬＥＤを消灯させるようになっている（ステップＳ３）。ステップＳ３において、１００ミリ秒の間接点が閉じていることを判定するのは、ステップＳ１と同様にチャタリングによる誤入力を排除するためである。
なお、本実施の形態においては、誤入力防止手段として回路上に誤入力防止回路５７を設けたが、制御ＩＣで行うソフト処理によって誤入力防止回路５７と同様の機能を行わせてもよい。
【図面の簡単な説明】
【００３１】
【図１】本願発明に係る観賞用ライトの外観斜視図である。
【図２】本願発明に係る観賞用ライトのカバー体を取り付けた状態を表す外観斜視図である。
【図３】本願発明に係る観賞用ライトの断面図である。
【図４】本願発明に係る観賞用ライトの分解斜視図である。
【図５】本願発明に係る観賞用ライトの回路図である。
【図６】本願発明に係る観賞用ライトにおいて行われる誤入力防止処理を説明するためのフローチャートである。
【符号の説明】
【００３２】
１  観賞用ライト本体
３  筐体
５  発光装置
７  上半部
９  下半部
１１  上部外郭体
１３  凸条
１５  基台
１７  凸条
１９  カバー体
２１  下部外郭体
２３  凸条
２５  電池を収容部する空間２５
２７、２９  雄ねじ
３１  凸縁
３３、３５  Ｏリング
３７  電池
３９  電池蓋
４１  ポスト
４３  プリント配線基盤
４５ｒ、４５ｇ、４５ｂ  発光ダイオード（ＬＥＤ）
４７  円形板
４９  小孔
５１  制御回路
５３  制御ＩＣ
５５  スイッチ
５７  誤入力防止回路
５９  メインスイッチ
６１  球状体
【図１】
2005071766.tif 000003
【図２】
2005071766.tif 000004
【図３】
2005071766.tif 000005
【図４】
2005071766.tif 000006
【図５】
2005071766.tif 000007
【図６】
2005071766.tif 000008